(57)【要約】  【課題】  クロストークを抑制できるように視差画像の編集を行うことができるプログラムを備えない印刷装置で視差画像を印刷しても、クロストークの発生を抑制することができるレンズシート提供すること。  【解決手段】  シリンドリカルレンズ２が複数並列して設けられているレンチキュラーレンズ３と、レンチキュラーレンズ３のレンズ面８の反対側に配置される画像形成層５とを有するレンズシート１であって、画像形成層５には、シリンドリカルレンズ２の長手方向に沿って、シリンドリカルレンズ１１が並列される配列ピッチＰ１よりも細い幅の黒線部１１が形成されている。【選択図】  図２
2013092650.tif 000002
【特許請求の範囲】
【請求項１】
シリンドリカルレンズが複数並列して設けられているレンチキュラーレンズと、前記レ
ンチキュラーレンズのレンズ面の反対側に配置される画像形成層とを有するレンズシート
であって、
前記画像形成層には、前記シリンドリカルレンズの長手方向に沿って、前記画像形成層
に形成される視差画像の隣接部に前記視差画像の幅よりも細い幅の黒線部が形成されてい
る、
ことを特徴とするレンズシート。
【請求項２】
請求項１に記載のレンズシートであって、
前記黒線部は、前記複数のシリンドリカルレンズのそれぞれに形成されている、
ことを特徴とするレンズシート。
【請求項３】
請求項２に記載のレンズシートであって、
前記各シリンドリカルレンズには、前記黒線部が複数形成されている、
ことを特徴とするレンズシート。
【請求項４】
請求項２または３に記載のレンズシートであって、
前記シリンドリカルレンズの光軸と、このシリンドリカルレンズに対応して設けられる
前記黒線部との距離が、前記レンズシートの前記シリンドリカルレンズの並列方向の中央
から前記並列方向の端部に向かうにしたがって長くなる、
ことを特徴とするレンズシート。
【請求項５】
請求項１から４のいずれか１項に記載のレンズシートであって、
前記黒線部は、幅方向の中央から端部に向かうにしたがって、光の吸収量が小さくなる
、
ことを特徴とするレンズシート。
【請求項６】
請求項１から５のいずれか１項に記載のレンズシートに対して視差画像を印刷する工程
を有することを特徴とする印刷方法。
【請求項７】
請求項６の印刷方法であって、
前記視差画像を印刷する工程には、隣接する前記視差画像を、前記黒線部を挟んで印刷
する工程を有する、
ことを特徴とする印刷方法。
【請求項８】
シリンドリカルレンズが複数並列して設けられているレンチキュラーレンズと、前記レ
ンチキュラーレンズのレンズ面とは反対側に配置される画像形成層とを有するレンズシー
トの前記画像形成層に視差画像が印刷された印刷物であって、
前記画像形成層には、前記シリンドリカルレンズの長手方向に沿って、前記シリンドリ
カルレンズが並列されるピッチよりも細い線幅で黒線部が形成され、
前記黒線部の両側には、前記視差画像の互いに隣接する視差画像が印刷されている、
ことを特徴とする印刷物。
【発明の詳細な説明】
【技術分野】
【０００１】
本発明は、レンズシート、印刷方法および印刷物に関する。
【背景技術】
【０００２】
従来より、シリンドリカルレンズが複数並列して設けられているレンチキュラーレンズ
のレンズ面と反対側に画像形成層が形成されているレンズシートが知られている。画像形
成層にシリンドリカルレンズの配列に対応させて視差画像や変わり絵画像（以下、単に視
差画像という。つまり、以下の記載および特許請求の範囲において、「視差画像」を、変
わり絵画像を含む概念として用いる。）が印刷されたレンズシートをレンズ面側から観察
すると、視差画像を立体画像や見る位置により画像が変化する変化画像として視認するこ
とができる。視差画像は、右目用と左目用に分離された複数の短冊状の画像であり、シリ
ンドリカルレンズが並列される方向に配列されている。
【０００３】
レンズシートに設けられるシリンドリカルレンズは、たとえば、６０ｌｐｉ、１００ｌ
ｐｉ等、１インチ幅に数十本から１００本を超えるピッチで形成されている。視差画像は
、上記ピッチで配列されるシリンドリカルレンズの１本につき、２以上の異なる視差画像
が印刷される。そのため、視差画像同士が極めて接近し、隣接する視差画像同士では、他
方の視差画像のインクが一方の視差画像の側にまで滲み、レンズを介して視差画像を観察
したときに、本来視覚するべきでない画像を視覚してしまうクロストークが発生する。
【０００４】
このクロストークを防止するため、たとえば、特許文献１，２，３には、印刷される視
差画像が、隣接する視差画像との間に間隔を設けて印刷されるように、視差画像を印刷す
るための画像データー自体をプログラムにより処理する方法が開示されている。視差画像
を印刷するための画像データーを上述のように構成することで、隣接する視差画像の間に
間隔が形成され、隣接する２つの視差画像の間で発生するクロストークを抑制することが
できる。
【０００５】
【特許文献１】特開平１１−９５１６８号
【特許文献２】特開平１１−２１２０２４号
【特許文献３】特開平８−１９２２号
【発明の概要】
【発明が解決しようとする課題】
【０００６】
しかしながら、特許文献１から３に開示される構成は、画像データーをプログラムによ
り編集するものである。そのため、かかるプログラムを有しない印刷装置を用いてレンズ
シートに視差画像を印刷する場合には、クロストークの発生の抑制を行うことができない
という問題がある。
【０００７】
そこで、本発明は、クロストークを抑制できるように視差画像の編集を行うことができ
るプログラムを備えない印刷装置で視差画像を印刷しても、クロストークの発生を抑制す
ることができるレンズシート、印刷方法および印刷物を提供することを目的とする。
【課題を解決するための手段】
【０００８】
上述の課題を解決するため、シリンドリカルレンズが複数並列して設けられているレン
チキュラーレンズと、レンチキュラーレンズのレンズ面の反対側に配置される画像形成層
とを有するレンズシートにおいて、画像形成層に、シリンドリカルレンズの長手方向に沿
って、画像形成層に形成される視差画像の隣接部に視差画像の幅よりも細い幅の黒線部が
形成されていることとする。
【０００９】
レンズシートをこのように構成した場合には、画像形成層に印刷された視差画像の隣接
部に生じる滲み部に起因するクロストークの発生を抑制することができる。
【００１０】
上記発明に加えて、黒線部は、複数のシリンドリカルレンズのそれぞれに形成されてい
ることとする。
【００１１】
シリンドリカルレンズ毎に黒線部を設けることで、より効果的に視差画像の隣接部に生
じる滲み部に起因するクロストークの発生を抑制することができる。
【００１２】
上記発明に加えて、各シリンドリカルレンズには、複数の黒線部が形成されていること
とする。
【００１３】
シリンドリカルレンズ毎に複数の黒線部を設けることで、より一層効果的に視差画像の
隣接部に生じる滲み部に起因するクロストークの発生を抑制することができる。
【００１４】
上記発明に加えて、シリンドリカルレンズの光軸と、このシリンドリカルレンズに対応
して設けられる黒線部との距離が、レンズシートのシリンドリカルレンズの並列方向の中
央から前記並列方向の端部に向かうにしたがって長くなることとする。
【００１５】
レンズシートをこのように構成した場合には、互いに対応するシリンドリカルレンズと
視差画像とにおいて、シリンドリカルレンズが並列される方向におけるレンズシートの中
央から並列方向の端部に向かうにしたがって、視差画像とシリンドリカルレンズの光軸と
の距離が広くなるように視差画像が印刷される場合にも、視差画像の隣接部に生じる滲み
部に起因するクロストークの発生を抑制することができる
【００１６】
上記発明に加えて、黒線部は、幅方向の中央から端部に向かうにしたがって、光の吸収
量が小さくなることとする。
【００１７】
レンズシートをこのように構成した場合には、レンチキュラーレンズを介して視差画像
を観察したときに、視差画像と黒線部のエッジ部の境界が視覚し難くなる。
【００１８】
上述の課題を解決するため、上述のレンズシートに対して、視差画像を印刷することと
する。
【００１９】
レンズシートに対してこのように印刷を行った場合には、黒線部により視差画像のイン
クの滲み部に起因するクロストークの発生を抑制することができる。
【００２０】
上記発明に加えて、視差画像の印刷には、黒線部を挟んで隣接する視差画像を印刷する
印刷が含まれることとする。
【００２１】
レンズシートに対してこのように印刷を行った場合には、画像形成層に印刷された視差
画像の隣接部に生じる滲み部に起因するクロストークの発生を抑制することができる。
【００２２】
上述の課題を解決するため、シリンドリカルレンズが複数並列して設けられているレン
チキュラーレンズと、レンチキュラーレンズのレンズ面とは反対側に配置される画像形成
層とを有するレンズシートの画像形成層に視差画像が印刷された印刷物は、画像形成層に
、シリンドリカルレンズの長手方向に沿って、シリンドリカルレンズが並列されるピッチ
よりも細い線幅で黒線部が形成され、この黒線部の両側に、視差画像の互いに隣接する視
差画像が印刷されていることとする。
【００２３】
印刷物を上述のように構成した場合には、画像形成層に印刷された互いに隣接する視差
画像の隣接部の滲み部に起因するクロストークの発生を抑制することができる。
【図面の簡単な説明】
【００２４】
【図１】レンズシートを表側から見た平面図である。
【図２】図１に示す切断線Ａ−Ａにおける断面の一部を拡大図して示す図である。
【図３】レンズシートに視差画像が形成された状態を示す断面図である。
【図４】図３の一部分を表面側から見たときの状態を示す図である。
【図５】１つのシリンドリカルレンズについて複数の黒線部が設けられた状態のレンズシートを示す図である。
【図６】レンズシートの中央から幅方向の端部に向かうにしたがって、黒線部のシリンドリカルレンズの光軸との距離が長くなるレンズシートの構成を示す図である。
【図７】黒線部の幅方向における色の濃さが中央から端部に向かって薄くなる構成を示す図である。
【図８】視差画像の印刷方法を説明する図である。
【図９】黒線部を光センサーにより検出し易くするための構成を示す図である。
【図１０】黒線部を光センサーにより検出し易くするための構成を示す図である。
【発明を実施するための形態】
【００２５】
（実施の形態）
本発明の実施の形態に係るレンズシート１の構成を図１，２等を参照しながら説明する
。以下の説明において、レンズシート１を観察する側を表側（表方向）とし、シリンドリ
カルレンズ（以下、ＳＤレンズと記載する。）２が配列される方向を幅方向として説明を
行う。図１は、レンズシート１を表側から見た平面図である。図２は、図１に示す切断線
Ａ−Ａにおける断面の一部Ｂを拡大して示す図である。なお、図２において断面部につい
ては、図面を判り易くするため、ハッチングを省略している。
【００２６】
レンズシート１は、図２に示すように、ＳＤレンズ２が複数並列して設けられるレンチ
キュラーレンズ３と、接着層４と、画像形成層５とを有する。画像形成層５は、基材６と
インク受容層７と有している。画像形成層５は、基材６側を接着層４によりレンチキュラ
ーレンズ３のレンズ面８の反対側の面に接着されている。
【００２７】
レンチキュラーレンズ３は、ＰＥＴ（ポリエチレンテレフタレート）、ＰＥＴＧ（グリ
コール変性ポリエチレンテレフタレート）、ＡＰＥＴ、ＰＰ、ＰＳ、ＰＶＣ、アクリル、
ＵＶ、ＰＣ（ポリカーボネイト）樹脂やＰＭＭＡ（メタクリル）樹脂などの透明な樹脂材
料から形成することができる。接着層４は、透明性を有する材料によって形成し、たとえ
ば、エポキシ系やシアノアクリレート系の接着剤などを材料として形成することができる
。基材６は、透明性を有する材料から薄板状に形成され、たとえば、ＰＥＴＧ樹脂などを
用いて形成することができる。インク受容層７、例えば、ＰＶＡ（ポリビニルアルコール
）等の親水性ポリマー樹脂、カチオン化合物、シリカ等の微粒子などを材料として形成す
ることができる。接着層４および基材６は透明である。そのため、インク受容層７に印刷
された画像をレンズ面８の側から観察することができる。
【００２８】
レンズシート１への視差画像の印刷は、レンズシート１の裏面側から行う。インク受容
層７に対してインクを付着させると、付着したインクは、インク受容層７に吸収され、基
材６との境界面９に移動する。つまり、視差画像は、境界面９に沿って形成される（図３
参照）。ＳＤレンズ２は、観察者が所定の観察距離（レンズ面８と観察者の目との間の距
離であり、たとえば、３０ｃｍ）からレンズシート１を観察したときに、インク受容層７
の境界面９に形成された印刷画像を合焦状態で観察できるように焦点距離等が設定されて
いる。
【００２９】
レンズシート１の裏面、すなわち、インク受容層７の露出面１０には、ＳＤレンズ２の
長手方向（母線方向）に伸びる複数の黒線部１１が並列して形成されている。黒線部１１
は、図２に示すように、ＳＤレンズ２の配列ピッチＰ１の１／２のピッチで配列されてい
る。つまり、黒線部１１は、ＳＤレンズ２の光軸Ｘ上に対向する位置と隣接するＳＤレン
ズ２の境界部１２に対向する位置にそれぞれ形成されている。
【００３０】
（実施の形態の主な効果）
次に、図３，４を参照しながら、上述のように構成されるレンズシート１により奏され
る効果について説明する。図３は、視差画像１３が印刷されたレンズシート１の断面拡大
図である。図４は、図３のＣ部分を表面側から見たときの状態を示す図である。図３にお
いて断面部については、図面を判り易くするため、視差画像１３の部分を除いてハッチン
グを省略している。上述のように構成されるレンズシート１は、ＳＤレンズ２毎に黒線部
１１が形成されている。そのため、たとえば、図３に示すように、レンズシート１に、立
体画像として観察される視差画像１３である右側画像１３Ｒと左側画像１３Ｌとが印刷さ
れた場合には、右側画像１３Ｒと左側画像１３Ｌとの境界部分１４の裏面側に黒線部１１
が位置する。
【００３１】
視差画像１３は、インクジェットプリンタ（図示省略）により印刷することができるが
、インクは、インク受容層７に吸収されたときに滲みを生ずる。そのため、図４に示すよ
うに、隣接する視差画像１３（右側画像１３Ｒと左側画像１３Ｌ）の隣接部には、互いに
他方の視差画像１３側にインクが滲みでた滲み部１５が発生する。したがって、レンズ面
８から視差画像１３を観察したときに、本来見えるべき視差画像１３（たとえば、右側画
像１３Ｒ）の端部に、隣接する本来見えるべきでない視差画像１３（たとえば、左側画像
１３Ｌ）の端部が見えてしまう、いわゆるクロストークが発生する。
【００３２】
しかしながら、本実施の形態におけるレンズシート１は、右側画像１３Ｒと左側画像１
３Ｌとの滲み部１５の裏面側に黒線部１１が配置されてる。黒色は白色に比べて、幅広い
波長域の光に対して吸収率が高い。そのため、滲み部１５の裏面側に黒線部１１が配置さ
れることで、表側から視差画像１３を観察したときに、滲み部１５が視覚し難くなり、ク
ロストークが抑制された立体画像を観察することができる。
【００３３】
また、隣接する視差画像１３の隣接部に生じる滲み部１５に黒線部１１が重なることで
、滲み部１５が見え難くなり、たとえば滲み部１５によるコントラストの低下等といった
表示上の問題を解消することも可能となる。つまり、視差画像１３の視認性を向上させる
ことが可能となる。
【００３４】
図４に示すように、黒線部１１の線幅Ｗ１は、滲み部１５の線幅Ｗ２以上の線幅である
ことが好ましい。黒線部１１の線幅Ｗ１を滲み部１５の線幅Ｗ２以上とすることで、滲み
部１５が黒線部１１内に含まれ、クロストークを効果的に抑制することができる。一方で
、黒線部１１の線幅Ｗ１は、ＳＤレンズ２の境界面９における収束幅以下とすることが好
ましい。黒線部１１の線幅Ｗ１を該収束幅以下とすることで、表側から視差画像１３を観
察したときに、黒線部１１が視覚し難くなる。
【００３５】
レンズシート１においては、右側画像１３Ｒと左側画像１３Ｌとは、それぞれ幅方向に
複数の画素が並べられて形成される。そして、滲み部１５が形成されるのは、右側画像１
３Ｒと左側画像１３Ｌとの境界に位置する画素間であることもある。したがって、黒線部
１１の幅は、該境界に位置する画素間の細い滲み部１５を覆えば足りるため、右側画像１
３Ｒおよび左側画像１３Ｌの幅と比較して細いものとすることが可能となる。
【００３６】
なお、ＳＤレンズ２の境界部１２は収差が極めて大きく、裏面側に印刷画像があっても
光学像としてほとんど観察者に到達しない。そのため、境界部１２の裏面側に黒線部１１
を設けない構成としても、クロストークの抑制に与える影響は小さい。しかしながら、境
界部１２の裏面側に黒線部１１を設けることで、境界部１２で異常屈折した光線が黒線部
１１に吸収され、観察者に視認される程度を抑制することができる。
【００３７】
（他の実施の形態）
図２に示すレンズシート１は、ＳＤレンズ２の境界部１２以外に、それぞれのＳＤレン
ズ２について１本ずつの黒線部１１が設けられる構成である。これに対し、図５に示すよ
うに、それぞれのＳＤレンズ２について複数の黒線部１１が設けられる構成としてもよい
。図５は、ＳＤレンズ２の境界部１２以外に、それぞれのＳＤレンズ２について５本ずつ
の黒線部１１が設けられている構成が示されている。かかる構成のレンズシート１に対し
て、６つの異なる視差画像１３Ａ，１３Ｂ，１３Ｃ，１３Ｄ，１３Ｅ，１３Ｆが隣接する
部分、すなわち境界部分１４を黒線部１１に対応させて印刷した場合には、各視差画像間
で発生するクロストークを抑制することができる。境界部１２の裏面側に設けられる黒線
部１１については、視差画像のクロストークを抑制すると共に、境界部１２で発生する異
常屈折した光線が観察者に視認される程度を抑制することができる。また、この場合にお
いても境界部分１４で発生する滲み部１５に黒線部１１が重なることで、滲み部１５（図
４参照）が見え難くなり、たとえば滲み部１５によるコントラストの低下等といった表示
上の問題を解消することも可能となる。つまり、視差画像１３の視認性を向上させること
が可能となる。
【００３８】
（他の実施の形態）
レンズシート１に印刷される視差画像１３は、ＳＤレンズ２毎に印刷される。つまり、
１つのＳＤレンズ２に対して一組（たとえば、左右２視点の右側画像１３Ｒ、左側画像１
３Ｌを一組として、あるいは３視点以上の視差画像であればこれらを一組として）の視差
画像１３を対応させて印刷する。
【００３９】
一方、レンズシート１に設けられる複数のＳＤレンズ２は、曲率等が同一である同一の
レンズであり、また、一定のピッチで並列に設けられている。そのため、レンズシート１
を所定の観察位置（たとえば、レンズシート１の中央から所定の観察距離だけ離れた位置
）から観察した場合、ＳＤレンズ２を介して観察できる光学像と、この光学像が観察され
るＳＤレンズ２の光軸Ｘとの距離は、所定の観察位置の直下にあるＳＤレンズ２における
距離に比べて、レンズシート１の幅方向の端側に近いＳＤレンズ２ほど長くなる。
【００４０】
したがって、図３に示すように、ＳＤレンズ２の光軸Ｘに対して対称に視差画像１３が
印刷された場合には、所定の観察位置の直下に配置されるＳＤレンズ２以外のＳＤレンズ
２については、このＳＤレンズ２に対応する視差画像１３以外の視差画像１３も観察され
てしまうことがある。そのため、観察される視差画像１３の鮮明さが低下することがある
。
【００４１】
そこで、図６に示すように、所定の観察位置ＶＰ（たとえば、レンズシート１の中央か
ら観察距離３０ｃｍだけ離れた位置）の直下、すなわちレンズシート１の中央に配置され
るＳＤレンズ２-１に対応する視差画像１３−１は、ＳＤレンズ２−１の光軸Ｘ−１に対
称に印刷する。そして、ＳＤレンズ２−１よりもレンズシート１の幅方向の端側に配置さ
れるＳＤレンズ２-２，２−３，…，２−Ｎに対応する視差画像１３−２，１３−３，…
，１３−Ｎについては、ＳＤレンズ２−２，２−３，…，２−Ｎの光軸Ｘ−２，Ｘ−３，
…，Ｘ−Ｎからレンズシート１の端側に離れる方向に距離Ｄ−２，Ｄ−３，…，Ｄ−Ｎだ
け偏倚した位置に印刷する。
【００４２】
観察位置ＶＰからＳＤレンズ２−２，２−３，…，２−Ｎを介して視差画像１３−２，
１３−３，…，１３−Ｎを観察する視線方向とＳＤレンズ２-２，２−３，…，２−Ｎの
光軸Ｘ−２，Ｘ−３，…，Ｘ−Ｎとの成す角度Ｒ−２，Ｒ−３，…，Ｒ−Ｎの大きさと、
距離Ｄ−２，Ｄ−３，…，Ｄ−Ｎとは対応し、該角度が大きくなるほど距離Ｄ−２，Ｄ−
３，…，Ｄ−Ｎは大きくなる。つまり、観察位置ＶＰの直下に配置されるＳＤレンズ２（
２−１）からレンズシート１の幅方向の端部に向かうにしたがって、各ＳＤレンズ２に対
応して印刷される視差画像１３とＳＤレンズ２の光軸Ｘとの距離が長くなるように視差画
像１３を印刷する。視差画像１３が印刷される配置をこのようにすることで鮮明な視差画
像１３を観察することができる。
【００４３】
図６に示すように、黒線部１１は、印刷される視差画像１３に対応することができるよ
うに形成することが好ましい。つまり、観察位置ＶＰから、ＳＤレンズ２を介して視差画
像１３を観察する視線方向とＳＤレンズ２との成す角度Ｒに対応して、角度Ｒが大きくな
るほど、黒線部１１とこの黒線部１１が対応するＳＤレンズ２の光軸Ｘとの距離Ｄが大き
くなるように黒線部１１を形成する。すなわち、黒線部１１と黒線部１１が対応するＳＤ
レンズ２の光軸Ｘとの距離は、レンズシート１の中央から幅方向の端部に向かうにしたが
って広くなる。
【００４４】
このように黒線部１１を形成することで、この黒線部１１に対応させて視差画像１３を
印刷した場合に、視差画像１３間の滲みに起因するクロストークを抑制できる。また、視
差画像１３を対応するＳＤレンズ２を介して観察することができる。
【００４５】
（他の実施の形態）
図７に示すように、黒線部１１は、幅方向の中央１１Ａから端部に向かうにしたがって
、黒色の濃さが薄くなるように、すなわち光の吸収量が小さくなるように構成することが
好ましい。黒線部１１をこのように構成した場合には、黒線部１１のエッジ部（縁部）の
光の吸収量が小さくなる（黒色の濃さが薄くなる）。そのため、黒線部１１のエッジ部か
ら視差画像１３への光の吸収量の変化の程度が小さくなり、レンズ面８を介して視差画像
１３を観察したときに、視差画像１３と黒線部１１のエッジ部の境界が視覚し難くなる。
黒線部１１の両側のエッジ部から黒線部１１の太さの１／５以上１／３以下の範囲１１Ｂ
を黒線部１１の中央１１Ａの明度の３０％以上５０％以下とすることで、レンズ面８を介
して視差画像１３を観察したときに、隣接する視差画像１３間の滲み部１５によるクロス
トークを効果的に抑制できる。また、視差画像１３と黒線部１１のエッジ部の境界を効果
的に視覚し難くすることができる。
【００４６】
（黒線部１１の形成方法）
黒線部１１の線幅Ｗ１は、上述したように、滲み部１５の線幅Ｗ２（図４参照）以上で
あって、ＳＤレンズ２の境界面９における収束幅以下とすることが好ましい。一般に、イ
ンクのドットの直径は、２０〜８０μｍであり、滲み部１５の線幅Ｗ２はドットの直径内
に収まる。また、ＳＤレンズ２の境界面９における収束幅は、３５〜５０μｍ程度である
。したがって、黒線部１１の線幅Ｗ１を、インクのドットの直径以上でありＳＤレンズ２
の境界面９における収束幅以下とすることで、滲み部１５を黒線部１１に重ねることがで
きると共に、観察時に黒線部１１を視覚し難いものとすることができる。たとえば、印刷
されるドットの直径が２０μｍであり、ＳＤレンズ２の境界面９における収束幅が３５μ
ｍの場合には、たとえば、黒線部１１の幅Ｗ１を、２０μｍ程度とすることで、滲み部１
５を黒線部１１に重ねることができると共に、観察時に黒線部１１を視覚し難いものとす
ることができる。なお、滲み部１５の線幅Ｗ２が２０μｍ未満である場合には、滲み幅Ｗ
２に併せて更に黒線部１１の幅Ｗ１を更に狭くしてもよい。
【００４７】
黒線部１１は上述したように、極めて細い。そのため、インクジェットプリンターによ
る印刷によって形成することは難しい。つまり、インクドット径が２０μｍのプリンター
を用いても、画像形成層５に付着したインクに滲みが発生するため、幅２０μｍの黒線部
１１を形成することは難しい。したがって、黒線部１１は、たとえば、オフセット印刷や
フォトリソグラフィ等により形成することが好ましい。なお、黒線部１１の線幅Ｗ１は、
２０μｍに限るものでなく、インクのドット径、滲み部の線幅Ｗ２、ＳＤレンズ２の境界
面９における収束幅等を考慮し、クロストークを効果的に抑制したり視認性を向上させる
ことができる幅に設定する。
【００４８】
なお、黒線部１１をはっ水性を有するインクにより形成した場合には、隣接する視差画
像１３について、他方の視差画像１３にインクが滲むことを抑制でき、クロストークの抑
制および視認性の向上をより効果的に行うことができる。
【００４９】
上述の各実施の形態においては、全てのＳＤレンズ２に対応させせて黒線部１１を設け
る構成を示したが、複数のＳＤレンズ２のうち、一部のＳＤレンズ２のみに対応させて黒
線部１１を設けるようにしてもよい。黒線部１１を設けるとその分、観察される視差画像
１３が暗くなり易い。したがって、一部のＳＤレンズ２のみに対応させて黒線部１１を設
けることで、観察される視差画像１３が暗くなることを抑えつつ、クロストークを抑制す
ることができ、また、視差画像１３の視認性を向上させることが可能となる。
【００５０】
たとえば、滲み易いインクが使われる視差画像を対象に黒線部１１を設けてもよい。ま
た、たとえば、図６に示すように、視線方向とＳＤレンズ２の光軸Ｘとの角度Ｒは、観察
位置ＶＰから離れたＳＤレンズ２ほど大きくなる。角度Ｒが大きくなるほど視差画像１３
を観察する際の収差も大きくなり易い。したがって、観察位置ＶＰの直下に位置するＳＤ
レンズ２から所定距離離れたＳＤレンズ２を対象として、黒線部１１を設ける構成として
もよい。
【００５１】
上述の実施の形態においては、黒線部１１が、画像形成層５の露出面１０に形成された
構成が示されている。しかし、黒線部１１は、画像形成層５に印刷された際、インク受容
層７に染み込み、黒線部１１の層厚の一部あるいは全部が、露出面１０よりも表側、すな
わち、画像形成層５内に形成されることもある。また、黒線部１１は、画像形成層５の露
出面１０に形成する他、基材６とインク受容層７との間、すなわち境界面９に形成しても
よい。レンズシート１を製造する際に、基材６の裏側に黒線部１１を形成した後、インク
受容層７を積層することで、境界面９に黒線部１１を形成することができる。また、基材
６と接着層４との間に形成してもよい。この場合には、レンズシート１を製造する際に、
基材６の表に黒線部１１を形成した後、レンチキュラーレンズ３と基材６とを接着層４に
て接着することで、基材６と接着層４との間に黒線部１１を形成することができる。
【００５２】
なお、黒線部１１の「線」は、点が集合し線状を呈するものや、矩形体が直線状に連続
して配列されているものを含む。また、黒線部１１は、レンズシート１の一端から他端に
連続している必要はなく、一部において途切れていてもよい。黒線部１１が存在する部分
では、クロストークを抑制し、また視認性も向上させるすることができる。
【００５３】
（印刷方法および印刷物）
インクジェットプリンターを用いてレンズシートに視差画像を印刷する場合は、上述し
た黒線部１１が形成されたレンズシート１に対して視差画像を印刷することが好ましい。
レンズシート１に視差画像を印刷する際には、たとえば、図３に示すように、黒線部１１
の両側に隣接する視差画像１３が配列されるように印刷する。上述のようにレンズシート
１に対して視差画像１３が印刷された印刷物１６（図３参照）は、黒線部１１の両側に、
互いに隣接する視差画像１３が印刷されている。そのため、印刷物１６をレンズ面８から
観察したしたときに、クロストークの発生が抑制された視差画像１３を観察することがで
きる。
【００５４】
レンズシート１への視差画像１３の印刷は、図８に示すように、隣接する視差画像１３
の互いに対向する側の画素１７と画素１７が黒線部１１に跨るように印刷することが好ま
しい。このように視差画像１３をレンズシート１に印刷することで、クロストークの発生
がより効果的に抑制され、視認性を向上させた視差画像を観察することができる印刷物を
作成することができる。
【００５５】
（本発明の応用例）
ところで、黒線部１１が形成されるレンズシート１（図１、図５参照）に視差画像１３
を印刷する際には、視差画像１３を黒線部１１に対して所定位置に印刷する必要ある。従
来、たとえば、特開平８−１３７０３４号（以下、参考文献１と記載する。）、特開２０
０７−３８５９７号（以下、参考文献２と記載する。）に開示されるように、ＳＤレンズ
の配列ピッチをキャリッジ等に取り付けられる光学センサーにより検出し、この検出結果
に基づいて、視差画像をＳＤレンズに対して所定の位置に印刷することが行われている。
したがって、黒線部１１が形成されるレンズシート１についても、キャリッジ等に取り付
けられる光学センサーによりＳＤレンズ２の配列ピッチを検出し、この検出結果に基づい
て、視差画像を黒線部１１に対して所定位置に印刷することができる。
【００５６】
しかしながら、上記参考文献１，２に開示される構成の場合は、画像形成層を介して透
明なＳＤレンズを検出している。そのため、ＳＤレンズの配列ピッチの検出精度が低下し
易いという問題がある。視差画像が黒線部１１に対して所定の位置、すなわち、隣接する
視差画像による滲み部１５が黒線部１１に重なるように印刷されないと、クロストークを
効果的に抑制できない。
【００５７】
そこで、黒線部１１をプリンターのキャリッジ等に備えられた光学センサーにより検出
し、この検出結果から黒線部１１の位置を特定し、黒線部１１に対して視差画像１３を所
定の位置に印刷するようにしてもよい。黒線部１１は、画像形成層５に形成されるので、
参考文献１，２のように画像形成層を介して透明なＳＤレンズを検出する場合に比べて、
黒線部１１の位置を精度よく検出することができる。したがって、黒線部１１に対して視
差画像１３を位置精度よく印刷することができる。
【００５８】
しかしながら、黒線部１１は、上述したように、たとえば、２０μｍ程度であり、極め
て細い。そのため、黒線部１１の線幅Ｗ１がキャリッジに備えられる光センサーの検出精
度未満となる場合がある。そこで、図９に示すように、レンズシート１の印刷領域１Ａを
外れた一端に検出領域１Ｂを設ける。そして、この検出領域１Ｂにおいて、黒線部１１の
端部に光センサーの検出精度以上となる拡幅１１Ｃを設ける。かかる構成とすることで、
光センサーにより黒線部１１の位置を検出することができる。
【００５９】
また、光センサーの光スポットの中に複数の黒線部１１が含まれてしまう場合にも、黒
線部１１の位置検出の精度が著しく低下してしまう。そこで、図１０に示すように、検出
領域１Ｂ内において隣接する黒線部１１の間隔Ｗ３が光センサーの光スポット幅Ｗ４より
も広くなるように、一部の黒線部１１のみを検出領域１Ｂに延設する構成とする。かかる
構成とすることで、光センサーにより黒線部１１の位置を検出することができる。このと
きに、黒線部１１のうち光センサーでの検出部分を、黒線１１の他の部分よりも太くする
ことが好ましい。
【００６０】
延設する黒線部１１は、たとえば、図１０に示すように、ＳＤレンズ２の配設ピッチに
対応した黒線部１１とすることができる。光スポット幅Ｗ４をよりも広い間隔であれば、
ＳＤレンズ２の配設ピッチの１／２あるいはそれ以下のピッチに対応して黒線部１１を検
出領域１Ｂに延設してもよい。また、光スポット幅Ｗ４が、ＳＤレンズ２のピッチよりも
大きい場合は、ＳＤレンズ２の２ピッチ毎に黒線部１１を検出領域１Ｂに延設してもよい
。
【００６１】
上述のように、検出領域１Ｂにおいて検出された黒線部１１の位置情報に基づくことで
、視差画像１３を黒線部１１に対して所定の位置に印刷する際における位置精度を向上さ
せることができる。
【００６２】
なお、検出領域１Ｂは、レンズシート１の両端部に設けてもよい。両端部に設けること
で、レンズシート１の何れの端部からプリンターに装填しても、黒線部１１の位置を検出
することができる。
【符号の説明】
【００６３】
１  …  レンズシート    ２（２-１，２-２，２−３，…，２−Ｎ）  …  ＳＤレンズ
（シリンドリカルレンズ）    ３  …  レンチキュラーレンズ    ５  …  画像形成層  
８  …  レンズ面    １１  …  黒線部    １３（１３Ａ，１３Ｂ，１３Ｃ，１３Ｄ，
１３Ｅ，１３Ｆ，１３−１，１３−２，１３−３，…，１３−Ｎ）  …  視差画像    １
３Ｒ  …  右側画像（視差画像）    １３Ｌ  …  左側画像（視差画像）    １６  …  
印刷物    Ｐ１  …  配列ピッチ    Ｄ（Ｄ−２，Ｄ−３，…，Ｄ−Ｎ）…  距離
【図１】
2013092650.tif 000003
【図２】
2013092650.tif 000004
【図３】
2013092650.tif 000005
【図４】
2013092650.tif 000006
【図５】
2013092650.tif 000007
【図６】
2013092650.tif 000008
【図７】
2013092650.tif 000009
【図８】
2013092650.tif 000010
【図９】
2013092650.tif 000011
【図１０】
2013092650.tif 000012